(57)【要約】【課題】従来の受け皿を不要とし、これにより従来の受け皿による病害虫の付着等の問題を解消でき、また、鑑賞性を向上させることのできる植木鉢を提供する。【解決手段】上方に開口しかつ水抜き穴のない底部１０２と周壁１０３を備えた鉢本体１０１の内部に、メインの用土収容部１１０を残して底部１０２との間に水溜まり室１３０を形成する中間仕切り部１２０を設ける。中間仕切り部１２０は上下に貫通する複数の貫通穴１２２を設け、底部１０２の上面に設けた補強部１２１により支持する。用土収容部１１０には周壁１０３の内周面から中間仕切り部１２０の上面にかけて透水性のある用土流出防止シート１４０を設ける。【選択図】図１
0003195972.tif 000002
【実用新案登録請求の範囲】
【請求項１】
上方に開口しかつ水抜き穴のない底部と周壁を備えた鉢本体の内部に、メインの用土収容部を残して底部との間に水溜まり室を形成する中間仕切り部が設けられるとともに、当該中間仕切り部には上下に貫通する複数の貫通穴が設けられ、前記用土収容部には周壁の内周面から中間仕切り部の上面にかけて透水性のある用土流出防止シートが設けられていることを特徴とする植木鉢。
【請求項２】
鉢本体が土器製または陶磁器製であってその表面の全部または一部に釉薬が施されてなり、前記中間仕切り部の、前記周壁の内周面と接する周縁部には釉薬用の液抜き穴が設けられていることを特徴とする請求項１記載の植木鉢。
【請求項３】
鉢本体の周壁の上端に、動植物の形をなす装飾部が設けられていることを特徴とする請求項１または請求項２記載の植木鉢。
【考案の詳細な説明】
【技術分野】
【０００１】
本考案は、用土を入れて植物を育成しあるいは鑑賞用等に用いる植木鉢に関するものである。
【背景技術】
【０００２】
園芸用具として、用土を入れて盆栽や観葉植物などを育てるために植木鉢がよく用いられている。植木鉢は、土器、陶磁器、プラスチックなどの材質からなるが、いずれの材質であっても、余分に給水されることによる根腐れ等を防ぐために底面に水抜き用の穴が設けられているのが一般的である。そして、植木鉢を使用する際は、底面の穴に陶器のかけら等でふたを置いて、底から用土を途中まで詰め、植える植物の根を設置してその上から用土を鉢の表面近くまで入れ、これにより植物を植木鉢に植え込み、最後に上からじょうろ等で水をやり、用土にしっかりと水分を含ませるようにしている。また、鉢の底の穴から余分な水分が排水されることから、水を受ける受け皿を鉢の下に置く場合が多い。
【０００３】
ところが、従来の植木鉢は、受け皿に水分や湿気が溜まることによって、なめくじや蚊の幼虫などの病害虫が受け皿に付着したり鉢の内部に侵入するおそれがあった。また、受け皿に水分と共に用土が流出することで、特に鑑賞目的の場合は見た目が悪くなる問題があった。
【０００４】
植木鉢に関しては、従来より種々の提案がなされている（特許文献１〜４）。
【先行技術文献】
【特許文献】
【０００５】
【特許文献１】特開平７−３１２９９２号公報
【特許文献２】特開昭６３−１７４６４５号公報
【特許文献３】実用新案登録第３０７０４６３号公報
【特許文献４】実用新案登録第３０４１８２４号公報
【考案の概要】
【考案が解決しようとする課題】
【０００６】
特許文献１の植木鉢は、植木鉢の下に水皿を配置し、水皿から植木鉢内の用土に給水筒を通して水を補給する提案であるが、従来の受け皿と同様の問題が残っている。特許文献２の植木鉢は、鉢内の用土の水分をセンサーで管理する機構を備えた提案であるが、製造コストが高くつく。特許文献３の植木鉢は、大型の植木鉢の底部にキャスターを備えると共に、底部の下部空間に水の受け皿を出し入れ可能とした提案であるが、水の受け皿を独自に備えている点で従来と同様であり、病害虫の侵入を防止できない等の問題がある。特許文献４の植木鉢は、植木鉢の培養土に自動給水できる機能を備えたものであるが、鉢本体の周囲に貯水用の二重壁を設けて鉢本体が大型化し、家庭用には不向きと言える。
【０００７】
本考案は上記課題に鑑みてなされたもので、従来の受け皿を不要とし、これにより従来の受け皿による病害虫の付着等の問題を解消でき、また、鑑賞性を向上させることのできる植木鉢を提供することを目的とする。
【課題を解決するための手段】
【０００８】
上記課題を解決するために、本考案に係る植木鉢は、
上方に開口しかつ水抜き穴のない底部と周壁を備えた鉢本体の内部に、メインの用土収容部を残して底部との間に水溜まり室を形成する中間仕切り部を設けるとともに、当該中間仕切り部には上下に貫通する複数の貫通穴を設け、前記用土収容部には周壁の内周面から中間仕切り部の上面にかけて透水性のある用土流出防止シートを設けたことを主要な特徴とする。
【０００９】
本考案に係る植木鉢は、鉢本体が土器製または陶磁器製であってその表面の全部または一部に釉薬を施してなり、前記中間仕切り部の、前記周壁の内周面と接する周縁部に釉薬用の液抜き穴を設けたことを第２の特徴とする。
【００１０】
本考案に係る植木鉢は、鉢本体の周壁の上端に、動植物の形をなす装飾部を設けたことを第３の特徴とする。装飾部の形状として、例えば蛙、カタツムリなどの動物や花、枝葉などの植物を模した形状がある。
【考案の効果】
【００１１】
以上説明したように、本考案に係る植木鉢によると、従来の水受け皿を不要とし、これにより、従来のように、受け皿に水が溜まることで病害虫が付着したり侵入する問題や、受け皿に用土が流出して見た目が悪化する問題をいずれも解消することができる。これにより、本考案の植木鉢を安心して室内に置き、植物を育てたり観賞して楽しむことができるという効果を奏する。
【図面の簡単な説明】
【００１２】
【図１】本考案の一実施形態を示すもので、植木鉢の全体構成斜視図、
【図２】図１に示す植木鉢の縦断面図、
【図３】図１に示す植木鉢の使用方法と作用を示す説明図、
【図４】本考案の他の実施形態を示すもので、（Ａ）ないし（Ｄ）は複数の植木鉢における中間仕切り部の貫通穴と補強部の配置状態を示す平面図である。
【考案を実施するための最良の形態】
【００１３】
本考案を実施するための最良の形態につき、図１ないし図３を参照して説明する。図中、符号１００は本考案に係る植木鉢を示している。
【００１４】
図１は植木鉢１００の全体構成斜視図を示している。図１に示す植木鉢１００は、陶器製からなる鉢本体１０１を備え、鉢本体１０１は、上方に開口しかつ水抜き穴のない底部１０２と周壁１０３を備えている。図示例の鉢本体１０１は、上方にいくにしたがい若干末広がりとなる四角筒形状をなしている。
【００１５】
鉢本体１０１の内部には、メインの用土収容部１１０を残して底部１０２との間に水溜まり室１３０を形成する中間仕切り部１２０が設けられている。中間仕切り部１２０は、鉢本体１０１の周壁１０３の内周面に全周にわたり接続されて架設され、かかる状態で用土収容部１１０内に収容される用土Ｓ（図３参照）および植えられた植物Ｐ（図３参照）を支えるが、さらにこれらの重量を十分に支えられるように、底部１０２の上面１０２ａに設けられた複数の補強部１２１により全体が補強的に支持されている。かかる中間仕切り部１２０には、上下に貫通する複数（例えば５個から１２個）の水抜き用の貫通穴１２２が設けられている。
【００１６】
中間仕切り部１２０の、周壁１０３の内周面と接する周縁部には、水抜き兼用の液抜き穴１２３が設けられている。この液抜き穴１２３は、植木鉢１００の製作工程において、鉢本体１０１に対し貫通穴１２２を通して底部１０２の上面１０２ａまで浸るようにかけられる釉薬液のうち、鉢本体１０１を傾けて、水溜まり室１３０内に溜まる余分の液を鉢本体１０１から除去する際に用いられる。製作後の植木鉢１００にあっては、同液抜き穴１２３は、他の貫通穴１２２と同様に水抜き用として用いられるようになっている。
【００１７】
水溜まり室１３０は、図３に示すように、鉢本体１０１の用土収容部１１０内の用土Ｓに給水された水分のうち、用土Ｓに保水されなかった余分の水分を中間仕切り部１２０の貫通穴１２２、液抜き穴１２３を通して溜める役割をする。これにより、用土Ｓに必要以上の水分が溜まらないので植物Ｐの根腐れ等の問題を防止できる。なお、周壁１０３の一部に水溜まり室１３０から水分を排出させる栓付きの排出孔を設けたり、鉢本体１０１をプラスチック製として周壁１０３の一部に水溜まり室１３０内の水溜まり量を目視できる透明または半透明の窓部を設けるようにしてよい。
【００１８】
用土収容部１１０の内部には、周壁１０３の内周面から中間仕切り部１２０の上面にかけて透水性のある用土流出防止シート１４０が設けられている。同シート１４０は、可撓性、耐水性、耐久性を備えており、メッシュサイズは、使用される用土Ｓの流出を防止できるサイズに設定される。用土Ｓとしては、火山灰や軽石由来の用土（赤玉土、黒土など）、腐葉土、人工用土（バーミキュライト、パーライトなど）、川砂、特殊用土（水苔など）などがあり、各用土に応じたメッシュサイズのシートが使用される。例えば、玉葱等の農産物等を入れる市販のネットを用いてもよい。
【００１９】
鉢本体１０１の周壁１０３の上端１０４には、鑑賞性の向上を目的として、動植物の形をなす装飾部１５０Ａ、１５０Ｂが設けられている。一方の装飾部１５０Ａは動物（図示例は蛙）の形をデザインしたものであり、他方の装飾部１５０Ｂは植物（図示例は枝葉）の形をデザインしたものである。
【００２０】
次に、以上のように構成された植木鉢１００の使用方法および作用について、図３を参照しながら以下に説明する。
【００２１】
まず、鉢本体１０１の用土収容部１１０の内部に、周壁１０３の内周面から中間仕切り部１２０の上面にかけて密着させるように用土流出防止シート１４０を配置する。用土収容部１１０の内面形状にあわせて予め凹状に成形されたシートを用いてもよい。次いで、用土流出防止シート１４０の上から用土収容部１１０内に用土Ｓを途中まで詰め、次いで、植物Ｐの根を設置してその上から再び用土Ｓを鉢本体１０１の表面近くまで入れる。必要に応じて、鉢本体１０１の表面に仕上げを施し、これにより植物Ｐを植木鉢１０１に植え込む。
【００２２】
次に、上からじょうろＪで水をやり、用土収容部１１０内の用土Ｓにしっかりと水分を含ませる。給水された水分は図３の矢印に示すように用土Ｓ内を下向きに移動するが、用土Ｓに保水されない余分な水分は中間仕切り部１２０の貫通穴１２２、液抜き穴１２３を通して、下部の水溜まり室１３０内に落下し、排出水Ｗとして蓄えられる。
【００２３】
用土収容部１１０内の用土Ｓは、用土流出防止シート１４０により保護されるので、水分落下と共に、中間仕切り部１２０の貫通穴１２２、液抜き穴１２３から下部の水溜まり室１３０内に流出することがなく、したがって、下部の水溜まり室１３０が用土で詰まってしまうこともない。
【００２４】
本実施形態の植木鉢１００によると、従来の植木鉢のように水受け皿を組み合わせて使用する必要がなくなり、したがって、従来の植木鉢のように、受け皿に水分や湿気が溜まることで、なめくじや蚊の幼虫などの病害虫が付いたり侵入する問題や、受け皿に水分とともに用土が流出して、特に鑑賞目的の場合に見た目が悪化する問題をいずれも解消することができる。
【００２５】
これにより、本考案の植木鉢を、安心して室内のキッチンやリビングに置き、植物を育てたり長期にわたり観賞を楽しむことができるようになり、また、鉢本体の上端に動植物を模した装飾部を設けたので、それらの楽しみをより一層向上させることができるようになった。
【００２６】
図４は他の実施形態を示すもので、（Ａ）ないし（Ｄ）は複数の植木鉢における中間仕切り部の貫通穴と補強部の配置状態を示している。図示例の植木鉢はいずれもプラスチック製からなる。
【００２７】
図４（Ａ）の植木鉢１００Ａは、平面視して四角形状をなす比較的小型サイズの鉢で、中間仕切り部１２０Ａを下から支持する補強部１２１Ａが鉢本体１０１Ａの平面形状に合わせてロ字形をしている。図４（Ｂ）の植木鉢１００Ｂは、図４（Ａ）の植木鉢１００Ａよりも大型サイズの鉢で、サイズ拡大に合わせて中間仕切り部１２０Ｂを下から支持する二重の補強部１２１Ｂ、１２１Ｂが設けられている。なお、各図において符号１２２Ａ、１２２Ｂは貫通穴を示している。
【００２８】
図４（Ｃ）の植木鉢１００Ｃは、平面視して丸形状をなす比較的小型サイズの鉢で、中間仕切り部１２０Ｃを下から支持する補強部１２１Ｃが鉢本体１０１Ｃの平面形状に合わせてロ字形をしている。図４（Ｄ）の植木鉢１００Ｄは、図４（Ａ）の植木鉢１００Ａよりも大型サイズの鉢で、サイズ拡大に合わせて中間仕切り部１２０Ｄを下から支持する二重の補強部１２１Ｄ、１２１Ｄが設けられている。なお、各図において符号１２２Ｃ、１２２Ｄは貫通穴を示している。
【００２９】
かくして、本考案の植木鉢によると、従来の水受け皿を不要とし、これにより、従来のように、受け皿に水が溜まることで病害虫が付着したり侵入する問題や、受け皿に用土が流出して見た目が悪化する問題をいずれも解消することができるようになり、本考案の植木鉢を、安心して室内に置いて植物を育てたり、観賞して楽しむことができる。
【００３０】
なお、本考案の植木鉢は、鉢本体の底部に水抜き穴がないので、切花等を入れる花瓶や花器としても使用可能である。
【産業上の利用可能性】
【００３１】
本考案は、用土を入れて植物を育成しあるいは鑑賞用等に用いる植木鉢として、または花瓶・花器としても利用可能である。
【符号の説明】
【００３２】
１００，１００Ａ〜１００Ｄ  植木鉢
１０１，１０１Ａ，１０１Ｃ  鉢本体
１０２  底部
１０３  周壁
１０４  周壁の上端
１１０  用土収容部
１２０，１２０Ａ〜１２０Ｄ  中間仕切り部
１２１，１２１Ａ〜１２１Ｄ  補強部
１２２，１２２Ａ〜１２２Ｄ  貫通穴
１２３  液抜き穴
１３０  水溜まり室
１４０  用土流出防止シート
１５０Ａ，１５０Ｂ  装飾部
Ｊ  じょうろ
Ｐ  植物
Ｓ  用土
Ｗ  排出水
【図１】
0003195972.tif 000003
【図２】
0003195972.tif 000004
【図３】
0003195972.tif 000005
【図４】
0003195972.tif 000006